(57)【要約】【課題】安定性に優れるとともに、スペースの有効活用が可能なディスプレイ用ハンガーを提供する。【解決手段】ディスプレイ用ハンガー１０は、台１２の長手方向両端に立設された一対の支持部材１４Ａ，１４Ｂによって、回転軸１６の端部１６Ａ，１６Ｂが回転可能に支持されている。前記端部１６Ａ，１６Ｂ近傍には、前記支持部材１４Ａ，１４Ｂよりも内側の位置に、前記回転軸１６が軸心となるように、一対の略円形の回転板１８Ａ，１８Ｂが固定されており、前記回転軸１６とともに回転可能となっている。これら回転板１８，１８Ｂの縁部近傍には、前記回転軸１６と略平行になるように、複数の横棒が、ほぼ等間隔で設けられている。該横棒２０には、アクセサリを保持した台紙２２，２８，３６のフックが掛けられる。前記横棒２０や回転板１８Ａ，１８Ｂを回すことにより、奥の商品を手前に移動させることができる。【選択図】図１
2007215592.tif 000002
【特許請求の範囲】
【請求項１】
略水平に支持された回転軸，
該回転軸の両端側に固定されており、前記回転軸とともに回転する一対の回転体，
前記回転軸と略平行になるように、前記一対の回転体間に架けられた複数の横棒，
を備えるとともに、
前記複数の横棒が、該横棒に吊り下げられる物品同士が接触しない間隔で配置されていることを特徴とするディスプレイ用ハンガー。
【請求項２】
前記回転軸は、特定の横棒を移動先から所定の位置に戻すように回転することを特徴とする請求項１記載のディスプレイ用ハンガー
【請求項３】
前記回転軸，回転体，横棒のいずれかの特定の部分が、他の部分よりも重い，あるいは、偏った形状であることを特徴とする請求項２記載のディスプレイ用ハンガー。
【請求項４】
前記物品が、アクセサリであることを特徴とする請求項１〜４のいずれかに記載のディスプレイ用ハンガー。
【発明の詳細な説明】
【技術分野】
【０００１】
本発明は、アクセサリなどの物品を陳列するためのディスプレイ用ハンガーに関し、更に具体的には、回転式のディスプレイ用ハンガーに関するものである。
【背景技術】
【０００２】
従来、アクセサリ（装身具）などを店頭で陳列するときには、ディスプレイ用パネルや回転式ハンガーが用いられている。前記回転式ハンガーは、略垂直に支持された軸と、該軸から径方向に張り出したフレームやフックにより構成されており、前記軸を中心にフレームなどを回転させることによって、前記フレーム等に直接または間接的に吊り掛けられた商品の位置を変えて、手前に移動させることができる。このようなディスプレイ用具としては、例えば、以下の特許文献１に示す陳列スタンドがある。
【特許文献１】特表２００３−５１１１３２公報
【発明の開示】
【発明が解決しようとする課題】
【０００３】
しかしながら、以上のような背景技術には、次のような不都合がある。まず、軸が垂直方向に設けられているため、多数の商品を掛けられるようにするためには、軸を長くしてフレームを複数段設けるようにするか、フレームなどの張り出し径を大きくしなければならない。ところが、軸を長くすると、ハンガー自体の安定性に欠けるほか、陳列台（ショーケース）などの上に置いたときに、上方の商品が見にくくなるという不都合がある。また、フレームなどの張り出し径を大きくする場合には、ハンガーの設置場所に奥行が必要となるため、スペースを有効活用することができない。更に、従来のハンガーでは、商品の位置は回転により変わってくるため、目玉商品などを常に目立つ位置に陳列しておくことができるとは限らない。
【０００４】
本発明は、以上の点に着目したもので、その目的は、安定性に優れるとともに、スペースの有効活用が可能なディスプレイ用ハンガーを提供することである。他の目的は、特定の陳列物を、常に所定の位置に戻すことができるディスプレイ用ハンガーを提供することである。
【課題を解決するための手段】
【０００５】
前記目的を達成するため、本発明は、略水平に支持された回転軸，該回転軸の両端側に固定されており、前記回転軸とともに回転する一対の回転体，前記回転軸と略平行になるように、前記一対の回転体間に架けられた複数の横棒，を備えるとともに、前記複数の横棒が、該横棒に吊り下げられる物品同士が接触しない間隔で配置されていることを特徴とする。
【０００６】
主要な形態の一つは、前記回転軸は、特定の横棒を移動先から所定の位置に戻すように回転することを特徴とする。他の形態は、前記回転軸，回転体，横棒のいずれかの特定の部分が、他の部分よりも重い，あるいは、偏った形状であることを特徴とする。更に他の形態は、前記物品が、アクセサリであることを特徴とする。本発明の前記及び他の目的，特徴，利点は、以下の詳細な説明及び添付図面から明瞭になろう。
【発明の効果】
【０００７】
本発明は、略水平に支持された回転軸の両端に、一対の回転体を対向配置して固定するとともに、前記回転軸と略平行になるように、前記一対の回転体間に複数の横棒を架けて、該横棒に物品を直接または間接的に吊り下げることとしたので、安定性の向上と設置スペースの有効活用が可能になるという効果が得られる。また、特定の横棒を常に決まった位置に戻すことにより、特定の物品を目立ちやすい場所に陳列しておくことができる。
【発明を実施するための最良の形態】
【０００８】
以下、本発明を実施するための最良の形態を、実施例に基づいて詳細に説明する。
【実施例１】
【０００９】
最初に、図１を参照しながら、本発明の実施例１を説明する。図１(A)は、本実施例の全体を示す外観斜視図，図１(B)は前記(A)を矢印Ｆ１方向から見た側面図である。図１に示すように、本実施例のディスプレイ用ハンガー（以下「ハンガー」とする）１０は、略長方形の台１２の長手方向両端に立設された一対の支持部材１４Ａ及び１４Ｂによって、回転軸１６の端部１６Ａ及び１６Ｂが回転可能に支持されている。前記端部１６Ａ及び１６Ｂ近傍には、前記支持部材１４Ａ及び１４Ｂよりも内側の位置に、前記回転軸１６が軸心となるように、一対の略円形の回転板１８Ａ及び１８Ｂが固定されており、前記回転軸１６とともに回転可能となっている。これら回転板１８Ａ及び１８Ｂの縁部近傍には、前記回転軸１６と略平行になるように、複数（図示の例では８つ）の横棒２０が、ほぼ等間隔で設けられている。前記台１２，支持部材１４Ａ及び１４Ｂ，回転板１８Ａ及び１８Ｂとしては、例えば、透明のプラスチックなどが用いられ、回転軸１６及び横棒２０としては、例えば、鉄やステンレスなどが用いられる。
【００１０】
前記横棒２０は、アクセサリなどの陳列物を吊り下げるためのものである。本実施例では、図１(A)に示すように、台紙２２，２８，３６などを用いてアクセサリが吊り下げられている。前記台紙２２は、ピアス２６用であって、横棒２０に吊り掛けるためのフック２４を備えている。また、台紙２８は、イヤリング３４用であって、フック３０とイヤリング３４の金具のネジ部３５を受けるスポンジ部３２を備えている。また、台紙３６は、ペンダント４４用であって、フック３８，ホルダ４０，切り込み４２を備えており、該切り込み４２に掛けて余ったチェーン４６が、前記ホルダ４０に収納される。
【００１１】
以上のようなハンガー１０では、図１に矢印Ｆ２で示す方向に回転可能となっているため、横棒２０や回転板１８Ａ，１８Ｂを回すことにより、奥や下側にあるアクセサリを、手前の見やすい位置まで移動させて見ることができる。
【００１２】
このように、実施例１によれば、回転軸１６の両端に一対の回転板１８Ａ及び１８Ｂを対向配置して固定し、前記回転軸１６と略平行になるように前記回転板１８Ａ及び１８Ｂ間に複数の横棒２０を設けて、該横棒２０に台紙２２，２８，３６などを介してアクセサリを吊り下げることとした。このため、ハンガー１０の安定性の向上と、設置スペースの有効活用を図ることができるという効果がある。
【００１３】
＜変形例＞・・・次に、図２を参照しながら、本実施例の変形例を説明する。上述した実施例１は、略円形の回転板１８Ａ及び１８Ｂの縁部近傍に、ほぼ等間隔で８つの横棒２０を設けることとした。このため、８つの横棒２０を全て同一の材料，寸法，形状で形成したとすると、偏りがないため、回転板１８Ａ，１８Ｂ及び横棒２０は、回し終わった位置のまま停止することになる。これに対して、図２に示す例では、特定の横棒２０Ａが、他の横棒２０Ｂよりも重い材料によって、同一形状・寸法で形成されている。図２(A)に示す状態で奥にある商品４８を、図２(B)に矢印Ｆ３ａで示す方向に回転させると、手５２で押えている間は、商品４８を手前の見やすい位置にもっていくことができるが、手５２を離すと、図２(C)に示すように、重い横棒２０Ａが一番下になるように回転板１８Ａ，１８Ｂが矢印Ｆ３ｂ方向に回転し、商品４８が元の位置に戻る。このように、横棒２０Ａを他の横棒２０Ｂよりも重くして、該横棒２０Ａが一番下に戻った状態において一番目立つ位置にある横棒２０Ｂに特定の商品５０を陳列しておくことにより、手５２で押さえていない間は、常に特定の商品５０を目立たせることができる。
【００１４】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更可能である。例えば、前記実施例では、回転板１８Ａ及び１８Ｂを略円形としたが、略環状としてもよいし、多角形状としてもよい。
(2)前記実施例の材料も一例であり、同様の効果を奏するように適宜変更してよい。例えば、前記実施例では、台１２，支持部材１４Ａ及び１４Ｂ，回転板１８Ａ及び１８Ｂとして、透明プラスチックなどを例に挙げたが、金属や木材などにより形成するようにしてもよい。同様に、回転軸１６及び横棒２０も一例であり、金属のほか、樹脂や木材などを用いるようにしてもよい。
(3)前記実施例で示した横棒２０の数や設置間隔も一例であり、必要に応じて適宜増減してよい。
(4)前記変形例も一例であり、横棒２０Ａのほか、回転板１８Ａ，１８Ｂや、回転軸１６の特定の部位を他の部分よりも重く形成するようにしたり、あるいは、横棒２０，回転板１８Ａ及び１８Ｂ，回転軸１６のいずれかを、特定の部位の形状が偏るようにしたりすることによって、特定の横棒２０Ａが所定の位置に戻るように回転を規制するようにしてもよい。
(5)前記実施例で示した台紙２２，２８，３６も一例であり、他の公知の各種の台紙やホルダを利用してよい。また、台紙などを用いることなく、直接陳列物を横棒２０に掛けることを妨げるものではない。
(6)前記支持部材１４Ａ及び１４Ｂも一例であり、回転軸１６を上方から吊り下げるような構成としてもよい。
(7)必要があれば、回転軸１６の端部１６Ａ，１６Ｂに公知の軸受を設けてよい。また、回転軸１６の端部１６Ａ，１６Ｂもしくは該軸受部分にラチェット機構を設けて回転板１８Ａ・１８Ｂ及び横棒２０の回転方向を一方向に規制したり、ブレーキによる摩擦を付与して回転板１８Ａ・１８Ｂ及び横棒２０が動いた位置で停止するようにしてもよい。
(8)前記実施例で示したピアス２６，イヤリング３４，ペンダント４４も一例であり、タイピン，タックピン，ピンブローチなどの他の公知のアクセサリ全般に本発明は適用可能である。また、装身具以外の物品のディスプレイに用いるようにしてもよい。
【産業上の利用可能性】
【００１５】
本発明によれば、略水平に支持された回転軸の両端に、一対の回転体を対向配置して固定するとともに、前記回転軸と略平行になるように、前記一対の回転体間に複数の横棒を設けて、該横棒に物品を直接または間接的に吊り下げ、安定性の向上と設置スペースの有効活用を可能としたので、物品のディスプレイ用ハンガーの用途に適用できる。特に、アクセサリなどの小物類のディスプレイの用途に好適である。
【図面の簡単な説明】
【００１６】
【図１】本発明の実施例１を示す図であり、(A)は斜視図，(B)は前記(A)を矢印Ｆ１方向から見た側面図である。
【図２】前記実施例１の変形例の作用を示す側面図である。
【符号の説明】
【００１７】
１０：ディスプレイ用ハンガー
１２：台
１４Ａ，１４Ｂ：支持部材
１６：回転軸
１６Ａ，１６Ｂ：端部
１８Ａ，１８Ｂ：回転板
２０，２０Ａ，２０Ｂ：横棒
２２，２８，３６：台紙
２４，３０，３８：フック
２６：ピアス
３２：スポンジ部
３４：イヤリング
３５：ネジ部
４０：ホルダ
４２：切り込み
４４：ペンダント
４６：チェーン
４８，５０：商品
５２：手
【図１】
2007215592.tif 000003
【図２】
2007215592.tif 000004